(57)【要約】【課題】  床面に散乱している遊技球及び／又は遊技コインを簡単かつ能率よく短時間で回収することが可能な回収機を提供する。【解決手段】  本体ケーシングと、本体ケーシング内において床と平行に回転する回転体と、本体ケーシングの周縁に取り付けられる回収部と、を供え、回転体の床と対向する面に掻寄体が形成されて、該掻寄体は回転体の回転に伴い床上の遊技球及び／又は遊技コインを回収部へ掻き寄せる。【選択図】図２
2006149959.tif 000002
【特許請求の範囲】
【請求項１】
本体ケーシングと、
本体ケーシング内において床と平行に回転する回転体と、
本体ケーシングの周縁に取り付けられる回収部と、を備え、
前記回転体の前記床と対向する面に掻寄体が形成されて、該掻寄体は前記回転体の回転に伴い前記床上の遊技球及び／又は遊技コインを前記回収部へ掻き寄せる、ことを特徴とする回収機。
【請求項２】
前記掻寄体は前記回転体の回転中心から周縁まで続き、前記回転体の回転方向に突出した弧状である、ことを特徴とする請求項１に記載の回収機。
【請求項３】
前記掻寄体は前記回転体の周縁側で曲率半径が大きくなる、ことを特徴する請求項２に記載の回収機。
【請求項４】
前記掻寄体は遊技球に当接してこれを回収し遊技コインには当接しない凸条部と、該凸条部の回転方向後ろ側に配置されて遊技コインを回収するブラシ部とを備えてなる、ことを特徴とする請求項１〜３のいずれかに記載の回収機。
【請求項５】
前記掻寄体は遊技球に当接してこれを回収し遊技コインには当接しない凸条部であって、その周縁側は前記本体部の半径方向に伸びている凸条部と、
該凸条部の回転方向後ろ側に配置されて遊技コインを回収するブラシ部であって、前記回転体の周縁側で曲率半径が大きくなるブラシ部と、
とからかる、ことを特徴とする請求項２に記載の回収機。
【請求項６】
前記本体ケーシングと前記回収部との間には、ストッパが設けられている、ことを特徴とする請求項１〜５の何れかに記載の回収機。
【請求項７】
本体ケーシングと、
本体ケーシング内において床と平行に回転する回転体と、
本体ケーシングの周縁に取り付けられる回収部と、を備え、
前記回転体の前記床と対向する面に掻寄体が形成されて、該掻寄体は前記回転体の回転に伴い前記床上の対象物を前記回収部へ掻き寄せる、ことを特徴とする回収機。
【発明の詳細な説明】
【技術分野】
【０００１】
本発明は、遊技球及び／又は遊技コイン、その他の床に散乱した対象物を回収するための回収機に関する。
以下、遊技球及び遊技コインを対象物の例に採りあげ説明を進めていくが、本発明の回収機で回収できる対象物は当該遊技球及び遊技コインに限られるものではなく、通貨コイン、ゼムクリップ、タバコ吸殻等のゴミ類など、回収機で回収可能な全ての物を回収の対象物とすることができる。
【背景技術】
【０００２】
ゲームセンターやパチンコホールでは、パチンコ機等の遊技球を使用するゲーム機及びスロットマシン等、遊技用の遊技コインを用いて遊技をするゲーム機が設置されている。遊技者はゲーム機に遊技球や遊技コインを投入する際にゲームに熱中するあまり、遊技球や遊技コインを落としたり、それらを入れた箱をひっくり返したりして、不用意に床に散乱させてしまうことがある。こうして床に散乱した遊技球や遊技コインは、遊技者自身や遊技場の係員が手で一つ一つ拾い集めている。
【０００３】
しかし、このように床に散乱した遊技球や遊技コインを人の手によって拾い集めるためには、作業者はしゃがみこんでそれらを拾わなくてはならず、手間と時間がかかり、作業者にとって大きな負担となる。また、ゲーム機は、通常狭い空間に連続して並んで設置してあるため、床に散乱した遊技球や遊技コインを拾い集める作業は、他の遊技者の邪魔となる。このため、拾い集める作業は、できる限り短時間で終了させる必要がある。
【０００４】
こうした問題を解決するため、床に散乱した遊技球や遊技コインを直接手で拾うことなく、能率よく短時間で回収するための回収機が提案されている。例えば、特許文献１〜４には、回転するローラ等によって遊技コインを巻き込んで回収するコイン回収機が提案されている。
【特許文献１】特開２００４−６５６７３号公報
【特許文献２】特開平６−６３２４３号公報
【特許文献３】特開平５−１３４９１号公報
【特許文献４】実用新案登録第３０９５０１８号  また、特許文献５〜７には、床に散乱した遊技コインを挟み込んで回収する遊技コイン回収機が提案されている。
【特許文献５】実用新案登録第３０７１６９０号
【特許文献６】実用新案登録第３０７１６９１号
【特許文献７】実用新案登録第３０１５８４６号  さらに、特許文献８〜１０には、床に散乱した遊技コインを手動ですくいとる方式の遊技コイン回収機が提案されている。
【特許文献８】特開平１１−３１９２９９号公報
【特許文献９】実開平４―６５５９１号公報
【特許文献１０】特開平２００３−２３６２２５号公報
【発明の開示】
【発明が解決しようとする課題】
【０００５】
本発明は、上記従来の回収機とは異なる新たな方式により、床面に散乱している遊技球及び／又は遊技コインを簡単かつ能率よく短時間で回収することが可能な回収機を提供することを目的としている。
【課題を解決するための手段】
【０００６】
本発明の回収機は、本体ケーシングと、
本体ケーシング内において床と平行に回転する回転体と、
本体ケーシングの周縁に取り付けられる回収部と、を供え、
前記回転体の前記床と対向する面に掻寄体が形成されて、該掻寄体は前記回転体の回転に伴い前記床上の遊技球及び／又は遊技コインを前記回収部へ掻き寄せることを特徴とする。
【０００７】
このように構成された回収機によれば、回転体の回転にともない掻寄体が床面上の遊技球及び／又は遊技コインを回収部側へ掻き寄せ、そこへ回収する。これにより、作業者は、回収機を床に散乱した遊技球や遊技コインのある位置あたりに載置させるだけで、簡単かつ能率よく短時間にこれらを回収することができる。
【０００８】
この発明の第２の局面によれば、掻寄体の形状を次のように規定する。即ち、当該掻寄体は回転体の回転中心から周縁まで続き、回転体の回転方向に突出した弧状である。
このような掻寄体によれば、回転体の回転にともなう遠心力により、遊技球や遊技コインは掻寄体に押されながら外方へと移動し易くなり、もって回転体の周縁に位置する回収部への回収が円滑に行われる。
なお、回転体の回転中心から周縁まで続く掻寄体は、その全領域において遊技球や遊技コインへ当接し、これを回収部側へ掻き寄せることができれば、その一部にスリット等が形成されていてもよい。即ち、回転体の中心から周縁までの完全な一体物である必要はない。
【０００９】
この発明の第３の局面によれば掻寄体を次のように規定する。即ち、掻寄体は回転体の周縁側でその曲率半径が大きくなる。
曲率半径を大きくすることにより、掻寄体から遊技球や遊技コインへ加わる力がより回転体外側向きとなる。換言すれば、回転体の周縁へより直交する方向の力が遊技球や遊技コインへ加えられることとなる。これにより、本体ケーシングの周縁に取り付けられ、もって回転体の周縁部に位置する回収部へより確実に送り出されることとなる。
【００１０】
この発明の第４の局面によれば掻寄体を次のように規定する。即ち、掻寄体は遊技球に当接してこれを回収し遊技コインには当接しない凸条部と、該凸条部の回転方向後ろ側に配置されて床に摺接して遊技コインを回収するブラシ部とを備えてなる。
このように構成された掻寄体によれば、遊技コインの回収をブラシ部で行うようにしたので、床面に摺接することもある当該部材による床面に対する接触を柔らかとするとともにその耐久性を確保する。ただし、ブラシ部では遊技球がすり抜けるおそれがあるので、当該遊技球は回転体に形成された凸条部へ当接させてこれを回収できるようにした。
【００１１】
この発明の第５の局面によれば、掻寄体を次のように規定する。即ち、掻寄体は遊技球に当接してこれを回収し遊技コインには当接しない凸条部であって、その周縁側は本体部の半径方向に伸びている凸条部と、
該凸条部の回転方向後ろ側に配置されて遊技コインを回収するブラシ部であって、回転体の周縁側で曲率半径が大きくなるブラシ部と、からなる。
本発明者らの検討によれば、掻寄体と本体ケーシングとの間に遊技球が挟まれるおそれのあることがわかった。そこで、遊技球を掻き寄せる凸条部において本体ケーシングに対向する部分を半径方向に伸びるものとし、もって掻寄体と本体ケーシングとの間に遊技球が挟まれることを確実に防止する。
【００１２】
この発明の第６の局面によれば、本体ケーシングと回収部との間にストッパが設けられる。
当該ストッパを設けることにより、回収部から本体ケーシング内へ遊技球や遊技コインが逆流することを防止できる。
【００１３】
この発明の第７の局面は次のように規定される。
即ち、本体ケーシングと、
本体ケーシング内において床と平行に回転する回転体と、
本体ケーシングの周縁に取り付けられる回収部と、を備え、
前記回転体の前記床と対向する面に掻寄体が形成されて、該掻寄体は前記回転体の回転に伴い前記床上の対象物を前記回収部へ掻き寄せる、ことを特徴とする回収機。
このように構成された回収機によれば、回転体の回転にともない掻寄体が床面上の対象物を回収部側へ掻き寄せ、そこへ回収する。これにより、作業者は、回収機を床に散乱した対象物のある位置あたりに載置させるだけで、簡単かつ能率よく短時間にこれらを回収することができる。
【発明を実施するための最良の形態】
【００１４】
以下、本発明を具体化した実施形態について説明する。
【００１５】
（実施形態１）
本発明の実施例の回収機１の平面図、部分切欠き正面図及び側面図をそれぞれ図１、図２及び図３に示す。
回収機１は、図２に特徴的に示されるように、本体ケーシング１０、回転体４０及び回収部６０から構成される。
本体ケーシング１０はドーム部１１と回収部用リテーナ２１を備える。ドーム部１１は床に対して開口し回転体４０を収納する回転体収納部１２とモータ１５やバッテリ１６等を収納する機能部品収納部１３とからなる。両収納部１２、１３は隔壁で離隔され、床の遊技球、遊技コイン及びその他の塵が機能部品収納部１３へ侵入することが防止されている。
ドーム部１１にはリブ１７が立設され、このリブ１７へ柄１８の下端が軸支されている。柄１８にはモータのオン・オフを制御するスイッチを配設することが好ましい。
【００１６】
回収部用リテーナ２１はドーム部１１より図示右側へ延設されている。ドーム部１１において回収部用リテーナ２１が結合される部分には開口部２２が形成されており、開口部２２の周縁から半割り筒状のカバー部２３が延設されている。遊技球や遊技コインはこの開口部２２を通って回収部６０へ回収されることとなる。
回収部用リテーナ２１には開口部２２から続くスロープ部２５が形成されている。掻寄体４３により回収部６０側へ掻き寄せられた遊技球及び遊技コインはこのスロープ部２５を登って回収部６０へ収納される。
回収部６０の開口部にも第２のスロープ部６５が形成されており（図７参照）、この第２のスロープ部６５とリテーナ２１のスロープ部２５とは面一の状態で連続する。
スロープ部２５において回転体４０の回転方向先端側には壁２６が形成されている。スロープ部２５を登り切れなかった遊技球や遊技コインは最終的にこの壁２６に当接し、この壁２６つたいに回収部６０へ送りこまれることとなる。
本体ケーシング１０は金属若しくは樹脂材料で形成される。
【００１７】
回転体４０の平面図を図５に示す。
回転体４０は円盤状の本体部４１とその下面に形成される掻寄体４３とからなる。
本体部４１はその中心でモータ１５の回転軸へ固定されている。
掻寄体４３は、図５に示すように、凸条部４４とブラシ部４５を備えてなる。凸条部４４は本体部４１と一体的に形成されており、その下端と床面との距離ｈを略５ｍｍとした（図２参照）。これにより、遊技球（Φ：１１ｍｍ）の中心より下側へ当接して、これを確実に押圧する。他方厚さ約１．５ｍｍの遊技コインには当接しない。
実質的に平行に形成されている２条の凸条部４４の間にブラシ部４５が形成されている。このブラシ部４５は床へ直に摺接する磨耗部品であるため、本体部４１に対して着脱可能とすることが好ましい。ブラシ部４５は、凸条部４４をすり抜けた遊技コインへ当接して押圧する。
【００１８】
掻寄体４３は回転体４０の回転中心からその周縁まで連続しており、回転体４０の回転方向に突出した弧状である。かかる形状の掻寄体４３を回転させることにより、遊技球や遊技コインに対する押圧力が外周方向へ向くこととなる。この押圧力と遠心力が相俟って、遊技球や遊技コインは掻寄体４３に押圧されながらその外周方向へ付勢される。そして、開口部２２に達すると、スロープ部２５を乗り上げて回収部６０へ収納されることとなる。
本発明者らの検討によれば、掻寄体４３の形状を、図５に示すように、その外周側で曲率半径を大きくして本体部４１の周縁部に沿わせるようにすることが好ましい。図５の例では、掻寄体４３において中心側の部分４３−１の曲率半径を２５ｍｍ、周縁側の部分４３−２の曲率半径を６０ｍｍ、本体部４１の周縁部の半径を５０ｍｍとしている。掻寄体４３の周縁側部分４３−２の曲率半径を中心側部分４３−１のそれより大きくすることにより、当該周縁側部分４３−２から遊技球や遊技コインへかかる押圧力がより回転体４１の外周外方となり、開口部２２からスロープ部２５を乗り上げるときに与えられる付勢力が大きくなる。よって、それらの回収がより確実なものとなる。
【００１９】
他の形態の掻寄体１４３を有する回転体１４１の平面図を図６に示す。
この実施形態の掻寄体１４３は遊技球に当接する凸条部１４４の中心側部分１４４−１を弧状とし、周縁側部分１４４−２を半径方向に伸びる直線状とした。凸条部１４４の形状として図６のものを採用することにより、掻寄体１４４と本体ケーシング１０との間に遊技球が挟まれることを確実に防止することができる。
ブラシ部１４５の形状は図５と同様であるが、ブラシを間欠的に植設した。部品数を削減して製造コストの削減を図るとともに、床面上の小さなゴミを回収部へ掻き寄せないようにするためである。
【００２０】
図７及び図８に示す通り、回収部６０は塵取り形状であり、回収部本体６１と摘み部６２からなる。回収部本体６１の開口部には第２のスロープ部６５が設けられている。この第２のスロープ６５は回収された遊技球や遊技コインのストッパとなり、これらが回収部本体６１から脱落することを防止する。
この回収部６０は、本体ケーシング１０の回収部用リテーナ２１のカバー部２３へ着脱自在に挿着される。
【００２１】
このように構成された回収機１のドーム部１１をパチンコホール等において床面に散乱した遊技球や遊技コインの上へ被せる。
遊技球は回転する掻寄体４３の凸条部４４に押圧されて回転体４０の周縁側へ移動し、開口部２２からスロープ部２５へ押し上げられ、更に回収部６０のスロープ部６５ものぼって回収部６０内へ収納される。同様に、遊技コインは回転する掻寄体４３のブラシ部４５に押圧されて回転体４０の周縁側へ移動し、開口部２２からスロープ部２５へ押し上げられ、更に回収部６０のスロープ部６５を登って回収部６０内へ収納される。
本発明者らの検討によれば、回転体の回転数を１２０〜１８０ｒｐｍ、好ましくは１４０ｒｐｍにしたとき、遊技球及び遊技コインを素早くかつ確実に回収することができた。勿論、この回転数は装置形状等に応じて任意に選択できるものである。
【００２２】
図９〜図１１に他の実施例の回収機１０１の例を示した。図２と同一の要素には同一の符号を付してその説明を省略する。
この回収機１０１には、図６に示す回転体１４１が取り付けられている。回転体１４１においてブラシ部１４５の下端は床面から少し浮いた状態にある。床面とブラシ部１４５の下端との距離は遊技コインの厚さの略半分とすることが好ましい。これにより、床面のゴミやホコリが回収部へ掻き寄せられることを防止する。
【００２３】
この実施例の回収機１０１の回収部１６０は底板１６１、遮蔽版１６８及びカバー１６９を備えてなる。
底板１６１はばね弾性を有する金属板からなり、図１０に示すように本体ケーシング１０に固定される部分１６２と開口部２２へ対向する部分１６３とを有する。後者の部分１６３は無負荷状態で下方へ湾曲しており（図１１参照）、床面上へ接地した状態では回収機１０１の自重により開口部へ対向する部分１６３は床面に沿った形状となる。これにより、当該部分１６３は床面側に付勢された状態で床面との接触が常に維持される。よって、遊技コインが底板１６１と床面との間に挟みこまれることを未然に防止できる。
符号１６８は遮蔽板であり、その上端が開口部２２の上縁に回転自在に取り付けられている。その下端は底板１６１の上面に干渉して開口部２２側への回転が規制されている。このように構成された遮蔽板１６８は、遊技球及び遊技コインが本体ケーシング１０側から回収部側へ移動することは許容するが、反対側への移動は規制するストッパの役目をする。
【００２４】
この発明は上記発明の実施の態様及び実施例の説明に何ら限定されるものではない。特許請求の範囲を逸脱せず、当業者が容易に想到できる範囲で種々の変形態様もこの発明に含まれる。
【図面の簡単な説明】
【００２５】
【図１】図１はこの発明の実施形態の回収機の平面図である。
【図２】図２は同じく一部切欠き正面図である。
【図３】図３は同じく側面図である。
【図４】図４はスロープ部を示し、（Ａ）はスロープ部平面図、（Ｂ）は（Ａ）図におけるＢ−Ｂ線断面図である。
【図５】図５は回転体４０の構成を示す平面図である。
【図６】図６は他の回転体４０の構成を示す平面図である。
【図７】図７は回収部６０の開口側側面図である。
【図８】図８は回収部６０の正面図である。
【図９】図９はこの発明の他の実施形態の回収機の構成を示す一部切欠き正面図である。
【図１０】図１０は底板の平面図である。
【図１１】図１１は底板と遮蔽版を示す正面図である。
【符号の説明】
【００２６】
１、１０１  回収機
１０  本体ケーシング
２５  スロープ部
４０  回転体
４３、１４３  掻寄体
４４、１４１  凸条部
４５、１４５  ブラシ部
６０、１６０  回収部
【図１】
2006149959.tif 000003
【図２】
2006149959.tif 000004
【図３】
2006149959.tif 000005
【図４】
2006149959.tif 000006
【図５】
2006149959.tif 000007
【図６】
2006149959.tif 000008
【図７】
2006149959.tif 000009
【図８】
2006149959.tif 000010
【図９】
2006149959.tif 000011
【図１０】
2006149959.tif 000012
【図１１】
2006149959.tif 000013